(57)【要約】【課題】スクリュー脱水機を用いて生ゴミの脱水処理を行わせる生ゴミの圧縮処理装置において、生ゴミによる排出口の詰まりを急速に解消させる。【構成】生ゴミを移送するスクリュー３を囲んで多数の脱水孔をそなえたスクリーン筒５の排出口７に、ヒンジ８で取り付けた押さえ蓋６と設け、押さえ蓋６を排出口に押し付けるレバー１１をそなえている。レバー１１に連結した索条１５で基準重り１２を吊持させ、押さえ蓋６を排出口７に最小限必要な押し付け力で押し付ける。同様に索条１８で吊持させた付加重り１６で、脱水に必要な押し付け力を与えている。スクリュー３が過負荷状態になると、リフター１９で付加重り１６を持ち上げて、付加重り１６による押し付け力を無くし、押さえ蓋６の押し付け力を急速に減じて排出口７に固まった生ゴミを排出させる。【選択図】        図１
2004344960.tif 000002
【特許請求の範囲】
【請求項１】
生ゴミを移送するスクリューを囲んで、多数の脱水孔をそなえたスクリーン筒と、スクリーン筒の排出口にヒンジで取り付けた押さえ蓋と、この押さえ蓋のヒンジ側に一方端を取り付けたレバーをそなえ、前記レバーの他方端に連結した索条を介して吊持され、押さえ蓋を排出口に押し付けるようにした基準重りと付加重りを設け、スクリューの過負荷信号により前記付加重りを持ち上げるリフターをそなえたことを特徴とする生ゴミの圧縮処理装置。
【請求項２】
前記付加重りが、基準重りの吊持方向の長孔に挿通した横軸に取り付けられ、リフターによる付加重りの持ち上げにより、横軸が長孔に沿って上昇するようにした請求項１の生ゴミ圧縮処理装置。
【発明の詳細な説明】
【０００１】
【発明の属する技術分野】
本発明は、厨房などから排出される生ゴミを圧縮して脱水処理するスクリュープレス式の脱水機にいて、生ゴミによるスクリーン筒の排出口の詰まりを直ちに解消させるようにした構成に関する。
【０００２】
【従来の技術】
厨房から排出される生ゴミを脱水して固形化するためにスクリュー脱水機が用
いられているが、このようなスクリュー脱水機は、たとえば、
【特許文献１】実公昭５７−４２６４０号に示されているように、多数の脱水孔を設けたスクリーン筒の内側にスクリューを設け、スクリーン筒の開口部にヒンジで取り付けられた押し蓋をそなえ、この押し蓋に取り付けたレバーを引張りばねで引っ張ることにより開口部に押し付けるようにしている。
また、キャベツやごぼうなどの強い繊維質が混入されている生ゴミが、排出口付近で固まって排出されなくなる場合があり、このため、
【特許文献２】特開平１０−３４３８７号では、押し蓋を軸方向に移動する円錐形にし、生ゴミが排出口で固まった場合に、軸方向に移動させることによって、排出口との間隙を大きくするとともに、押し蓋をスクリューの回転方向に回転させて固まった生ゴミを排出させるスクリュー脱水機が提案されている。
【０００３】
なお、
【特許文献３】特開平１１−１０４５０４号には、スクリューフィーダで精白ロールに送られる玄米を精白する精米機において、精白室の流出口を塞ぐ抵抗板をリンクの一方端に取り付け、リンクの他方端は引張りばねを介してリニアヘッドに接続され、リニアヘッドによる引張りばねの調整で、抵抗板の押し付け力を調整するものが示されている。
【０００４】
【発明が解決しようとする課題】
このように、スクリューをそなえたスクリーン筒の排出口を塞ぐ押し蓋は、軸方向に移動させるか、引張りばねによって排出口に押し付けるようにしており、生ゴミに含まれている繊維質などで処理物がスクリーン筒内の排出口付近で固まって排出できない場合は、押し蓋を軸方向に移動させたり、引張りばねの引っ張り長さを調整し、押し付け力を弱めて押し蓋を開かせるようにしている。
【０００５】
このため、生ゴミの固まりを生じたときは、スクリューを駆動する電動機の過負荷を検出した信号により、押し蓋を軸方向に移動させ、あるいは、引張りばねの支持位置を移動させて引っ張り長さを調整して、押さえ蓋の押し付け力が次第に弱くなるようにしており、押し蓋を大きく開かせるための動作時間が長く、その間に排出口の固まりが進行して押し蓋をさらに大きく開かせる必要があり、固まった生ゴミを排出する時間も長くなっている。
また、このように長くなる時間を考慮して、早めに過負荷状態の信号を出すようにすると、過負荷と判断されるときの押し蓋の圧縮力が低下するので十分な圧縮脱水が行われなくなる欠点が生じる。
【０００６】
本発明は、このような点にかんがみ、過負荷の検出により急速に押し蓋の押し付け力を低下させ、固まりを排出させるスクリュー脱水機を提供することを目的としている。
【０００７】
【課題を解決するための手段】
このため、生ゴミを移送するスクリューを囲んで、多数の脱水孔をそなえたスクリーン筒と、スクリーン筒の排出口にヒンジで取り付けた押さえ蓋と、この押さえ蓋のヒンジ側に一方端を取り付けたレバーを設け、前記レバーの他方端に連結した索条を介して基準重りと付加重りを吊持させて押さえ蓋を排出口に押し付けるようにし、スクリューの過負荷信号により前記付加重りを持ち上げるリフターをそなえており、過負荷信号によって付加重りによる押し付け力を急速に除くとともに、押さえ蓋の押し付け力を必要な最小限に保持させ、固まった生ゴミを急速かつ円滑に排出できるようにしている。
【０００８】
【発明の実施の形態】
これを図１に示す実施例について説明する。
図において、１は機枠、２は機枠内に設置されたスクリュー脱水機の外筒、３は外筒２内のスクリューでモータ４によって回転駆動される。５はスクリュー３を囲むスクリーン筒で多数の脱水孔をそなえている。６はスクリーン筒５の排出口７にヒンジ８で取り付けた押さえ蓋、９は生ゴミの供給口、１０は排水口、１１は押さえ蓋６のヒンジ８側に取り付け押さえ蓋を操作するレバーである。
１２は、押さえ蓋６に最小限必要な押し付け力を加えるための基準重りで、滑車１３、１４を介して前記レバー１１の端部に連結した索条１５、たとえばワイヤ、ロープなどにより吊持されている。１６は、基準重り１２と協同して押さえ蓋６にスクリュー３による圧縮に必要な押し付け力を加える付加重りで、滑車１３、１７を介して前記レバー１１の端部に連結した索条１８により吊持されている。１９は機枠１に取り付けられ、前記付加重り１６を持ち上げるリフターで、付加重り１６と僅かな間隙で設けている。２０はスクリュー３の過負荷状態をモータ４で検出する制御器で、リフター１９に過負荷信号２１を送出する。
【０００９】
供給口９からスクリーン筒５内に生ゴミが供給されると、モータ４で回転するスクリュー３により排出口７に向かって移送され、押さえ蓋６に押し付けられて脱水される。脱水処理された生ゴミは、スクリュー３による移送力で押さえ蓋６の押し付け力に抗して押さえ蓋を押し上げて排出シュートに排出される。
しかし、キャベツやごぼうなどの強い繊維質の生ゴミが混入されていると、切断されない長い繊維質がスクリーン筒５内で絡み合ったり、スクリーン筒の脱水孔に絡んで固まりを生じ、スクリュー３による移送が困難になり押さえ蓋６を押し上げられずに排出が阻止される場合がある。
このような状態になるとモータ４が過負荷になり、制御器２０から過負荷信号２１がリフター１９に送出され、リフター１９は付加重り１６を持ち上げる。このため、付加重り１６によりレバー１１に加わる引っ張り力が急速に無くなり、押さえ蓋６は基準重り１５による引っ張り力だけの押し付け力になり、スクリュー３の移送力で直ちに押さえ蓋６が大きく開かれ、スクリーン筒５内で固まった生ゴミの固形物を排出させる。
なお、押さえ蓋６の保持に必要な最小限の押し付け力は、基準重り１２で保持され、固まった生ゴミが排出されると、過負荷信号２１がなくなり、リフター１９が下降して付加重り１６の引っ張り力がレバー１１に加えられる。
【００１０】
図２、図３は、基準重り１２と付加重り１６の別の態様を示すもので、索条１５に吊持された基準重り１２に、吊持方向の長孔２２を設け、この長孔２２に挿通した横軸２３に付加重り１６を固着させ、横軸２３が長孔２２の下端に接触した状態で付加重り１６が加えられており、過負荷信号によりリフター１９が付加重り１６を押し上げると、横軸２３が長孔２２内を上昇して索条１５には基準重り１２の重量だけが加わり、押さえ蓋の押し付け力を減じさせる。
【００１１】
【発明の効果】
本発明は、生ゴミを移送するスクリューを囲んで、多数の脱水孔をそなえたスクリーン筒と、スクリーン筒の排出口にヒンジで取り付けた押さえ蓋と、この押さえ蓋のヒンジ側に一方端を取り付けたレバーをそなえたスクリュー脱水機において、前記レバーの他方端に連結した索条を介して、押さえ蓋を排出口に押し付けるようにした基準重りと付加重りが吊持されており、スクリューの過負荷信号により前記付加重りを持ち上げるリフターをそなえているので、繊維質の生ゴミなどがスクリーン筒の排出口側で固まり、スクリューが過負荷状態になったときは、リフターが付加重りを持ち上げて押さえ蓋の押し付け力を急速に減少させ、押さえ蓋を容易に開かせ、固まった生ゴミを円滑に排出させ得る効果があり、押さえ蓋に常に必要とする最小限の押し付け力は、基準重りによって過負荷排出時も保持される。
【００１２】
なお、過負荷を生じさせる生ゴミは、過負荷信号が送出されると、急速に押さえ蓋が開かれて排出されるので、固まった生ゴミが排出口付近に滞留することがなく、過負荷状態の進行を防ぐことができる。また、押さえ蓋に必要な最小限の押し付け力は、基準重りで保持されるため脱水機の性能を低下させず、効率の良い脱水処理を行うことができる。
また、基準重りと付加重りは、それぞれ別個の索条に吊持させてもよく、基準重りに長孔を設けて付加重りを長孔に通した横軸で保持させるようにすれば、両方の重りをまとめて吊持させることができる。
【図面の簡単な説明】
【図１】本発明の実施例を示す側断面図である。
【図２】別の実施例を示す一部の側断面図である。
【図３】図２の中央断面図である。
【符号の説明】
３  スクリュー
５  スクリーン筒
６  押さえ蓋
７  排出口
８  ヒンジ
１１  レバー
１２  基準重り
１５  索条
１６  付加重り
１８  索条
１９  リフター
２０  制御器
２１  過負荷信号
２２  長孔
２３  横軸
【図１】
2004344960.tif 000003
【図２】
2004344960.tif 000004
【図３】
2004344960.tif 000005